(57)【要約】【課題】  ランドセルを背負った際、背中から放出された汗を素早く発散でき、さらに軽量で使い心地に優れたランドセルを提供すること。【解決手段】  背板３と、緩衝材４と、緩衝材４を覆う表皮５と、から構成される背裏部２において、表皮５の外面に、無数の空隙１０を有するメッシュシート６を接合することで、背中から放出された汗がメッシュシート６の空隙１０に入り込み、この中に拡散していくため蒸れを感じることが少ない。【選択図】      図１    
2005168839.tif 000002
【特許請求の範囲】
【請求項１】
背板（３）と、緩衝材（４）と、緩衝材（４）を覆う表皮（５）と、から構成される背裏部（２）を有するランドセル（１）において、前記表皮（５）の外面に、
無数の空隙（１０）を有するメッシュシート（６）を接合したことを特徴とするランドセル。
【請求項２】
前記メッシュシート（６）は、表皮（５）の外面の凹凸に倣うように接合してあることを特徴とする請求項１記載のランドセル。
【請求項３】
前記メッシュシート（６）は、二枚のメッシュ地（７，９）を張りのある無数の起立繊維（８）によって結び付けて形成した厚みのある立体メッシュシートを使用したことを特徴とする請求項１または２記載のランドセル。
【発明の詳細な説明】
【技術分野】
【０００１】
本発明は、小学生が通学の際に使用するランドセルに関する。
【背景技術】
【０００２】
ランドセルは、教科書などを入れる収納部や、収納部を覆うためのカブセや、肩に掛ける背負いベルトや、背中と接触する背裏部などから構成される。ランドセルの背面を形成する背裏部は、装着時に直接背中と接触することから構造には多くの配慮が必要であり、形状を維持するため硬質の樹脂で形成された背板に、衝撃を緩和する緩衝材が載せられ、この緩衝材を保護するため表面は表皮で覆われている。緩衝材は背中と接触した際に不快感を与えないよう、３ｃｍ程度の厚さのウレタンなどを使用しており、また表皮はランドセル内部に汗や雨水などが浸透しないよう耐水性が必要で、美観にも優れた各種の天然皮革または合成皮革が使用され、表皮の周縁部は背板に縫合されている。
【特許文献１】特開平９−１７３１２１
【発明の開示】
【発明が解決しようとする課題】
【０００３】
小学生は、通学時に整然と歩くとは限らず周囲を走り回ることも多く、また夏季は野外を歩いているだけで汗が出てくる場合もある。ランドセルの背裏部の外面を覆う表皮は、吸水性に限界があり、表皮は装着時に背中と密着しているため、背中から出た汗は外気に発散されにくく、衣類や肌着に蓄積されて不快になりがちで、体温も下がりにくい。汗の発散が遅れると細菌の増殖により悪臭の原因になるほか、衣服の色落ちなど様々な問題が発生する。
【０００４】
このような「蒸れ」を改善するには、前記の特許文献のように従来から対策が取られているが効果が十分とはいえず、ランドセルに装着可能な専用の汗取り用具も商品化されている。この汗取り用具は、背裏部と背中の間に空間を確保するもので、蒸れに対しては十分な効果を発揮するが、ランドセルとの取り付けが不十分になりやすく、揺動などで位置ずれが生じたり、故意に外してしまうなどの問題がある。また小学校入学時は、体格的な面からランドセルは極力軽量化する必要があり、蒸れの対策でランドセルの重量が増加することは望ましくない。そのほか６年間は破損することなく使い続けられるよう、十分な耐久性も必要である。
【０００５】
本発明はこうした実状を基に開発されたもので、ランドセルを背負った際、背中から出た汗を素早く発散でき、軽量で使い心地に優れたランドセルの提供を目的としている。
【課題を解決するための手段】
【０００６】
前記の課題を解決する請求項１記載の発明は、背板と、緩衝材と、緩衝材を覆う表皮と、から構成される背裏部を有するランドセルにおいて、表皮の外面に、無数の空隙を有するメッシュシートを接合したことを特徴とするランドセルを用いて、汗の発散を促進させるものである。背中と背裏部の間に汗が蓄積しやすいのは、この間が密着して空気の流れが発生せず、周囲に発散されないためで、ここに何らかの隙間を確保できれば問題は解決する。そこで表皮の外面に、無数の空隙が形成されたメッシュシートを接合すると、背中との接触面が断続的になり、空気の入り込む余地が発生する。
【０００７】
請求項２記載の発明は、メッシュシートを、表皮の外面の凹凸に倣うよう接合するもので、これにより緩衝材に複雑な凹凸を設けた場合も、メッシュシートが表皮から浮き上がることを防止できる。メッシュシートは文字通り繊維を網状に構成したもので、視覚的に識別可能な空隙が規則的に並んでおり、この空隙は亀甲状や格子状や円形が一般的で、容易に伸縮可能である。したがって背骨などを考慮して、緩衝材を部分的に窪ませた複雑な立体形状にした場合も、メッシュシートはこれに沿って接合可能で、背裏部の外観が向上するほか、メッシュシートが遊離していないため装着感も良くなる。メッシュシートと表皮との接合方法は限定されないが、縫製のほか、全面的な接着や、局所的に熱を加えて融着させるなどの方法がある。ただし小学生が使用することを考慮して、メッシュシートを故意に剥がすことを防止するため、周縁部はランドセル内部に埋め込むことが望ましい。
【０００８】
本発明のように表皮の外面にメッシュシートを貼り合わせることで、背中から出た汗は、肌着や衣服を浸透していき、やがてメッシュシートに到達する。前記のようにメッシュシートには無数の空隙があり、汗は空隙に含まれる空気中に発散されるため、衣服は乾いた状態を維持でき不快感を抱かせにくい。なお本発明は、表皮の外面にメッシュシートを接合した形態であり、緩衝材を保護するための表皮は従来と同様に使用される。
【０００９】
請求項３記載の発明は、前記のメッシュシートに、二枚のメッシュ地を張りのある無数の起立繊維によって結び付けて形成した厚みのある立体メッシュシートを使用するものである。メッシュシートで吸収できる水分を増大させるには、より多くの空隙をメッシュシートに形成する必要があり、これを実現するにはメッシュシートを平面的なものではなく、厚みを有する立体的なものにすることが望ましい。この立体メッシュシートは既に市販されており、表地と裏地を構成するメッシュ地を起立繊維により結び付けており、従来の伸縮性に加えて厚さ方向に弾力性を有している。起立繊維は、弾力性の強い合成繊維が厚み方向に往復しており、両端の折り返し点では表地および裏地の繊維と交錯しているため、表地と起立繊維と裏地は物理的に一体化している。したがって剥離などの問題がなく、しかも起立繊維は厚み方向に断続的に並んでいるため、この領域も多数の空隙が存在している。
【００１０】
立体メッシュシートの表地は背中と直接接触する面で、通過できる空気量を十分に確保するため、目の粗いメッシュを使用するが、一方、表皮側の裏地は通気性をあまり考慮する必要はなく、また表皮との接合を考慮して、目の細かいメッシュあるいはメッシュではない通常の布地を使用することもできる。なおメッシュシート各部の材質や、表地と裏地のメッシュの粗密や、起立繊維の厚さや密度などの諸元は、性能試験などを元に決められる。
【００１１】
立体メッシュシートは、単体でも数ミリの厚みがあり、従来のランドセルの表皮に立体メッシュシートを接合しただけでは、背裏部の厚さが増加すると同時に重量も増加する。しかし立体メッシュシートは、厚さ方向に弾力性を有しており、従来から使用されている緩衝材の機能を肩代わりできるため、緩衝材を薄くできる。しかも立体メッシュシートは空隙の割合が高く軽量であり、緩衝材の使用を減らすことでランドセルの軽量化に寄与する。そのほかメッシュシートに抗菌や防臭処理を施したり、また滑りを抑制するゴムなどを添加することで、衛生面や使用感などで一層の効果を期待できる。
【発明の効果】
【００１２】
請求項１記載の発明のように、表皮の外面にメッシュシートを接合することで、背中から放出された汗がメッシュシートの空隙に入り込み、この中の空気中に拡散していくため、汗や雨水が衣服に残留しにくい。したがって暑い時期や、かけ足など体を激しく動かした場合にも蒸れを感じさせることが少なく、そのため雑菌の増殖や臭いの発生を抑制できるため、快適で衛生的な小学校生活に寄与できる。
【００１３】
請求項２記載の発明のように、メッシュシートを表皮の凹凸に倣って接合することで、背裏部を複雑な立体形状にした場合も、これが外部から明確に識別できるため、ランドセルの高付加価値感を訴求でき、またランドセルとメッシュシートが一体化するため装着感も向上する。
【００１４】
請求項３記載の発明のように、立体メッシュシートを使用することで、空隙が厚さ方向にも確保されるため、水分を受け入れ可能な空気が増加して、激しく発汗した場合にも対応能力があり、また立体メッシュシートの起立繊維の厚みや密度を調整することで、耐久性を維持しながら立体メッシュシート自体に弾力性を持たせることが可能で、従来から使用されている緩衝材の厚さを減らして、ランドセルの軽量化も実現できる。
【発明を実施するための最良の形態】
【００１５】
図１は、本発明によるランドセルの概要を示す斜視図で、ランドセル１を背裏部２の方から見た状態の斜視図である。ランドセル１は、内部に教科書などを入れる収納部１３のほか、背負いベルト１６や収納部１３の上を覆うカブセ１４などから構成される。また装着時に背中と接触する背面側は、長方形状の背裏部２で構成され、背負いベルト１６は金具１５を介して背裏部２に取り付けられている。背裏部２の内部には、ランドセル１の形状を維持するため硬質の樹脂で形成された背板３と、背中に伝わる衝撃を緩和するため、発泡ウレタンで形成された厚さ約３ｃｍの緩衝材４があり、この緩衝材４の外側は表皮５で覆われている。表皮５は緩衝材４に雨水や汗を浸透させないよう、耐水性のある合成皮革を使用しており、この表皮５が背中と衣服を介して接触していると蒸れの原因となるため、表皮５の外面は全面的にメッシュシート６で覆われている。
【００１６】
メッシュシート６は、表面に亀甲状の空隙１０が規則的に形成されており、この中の空気で水分を吸収する。表皮５とメッシュシート６は、連続的に塗布された接着材により一体化されており、表皮５とメッシュシート６の外周部がへり巻１１の内部に埋め込まれて、さらに縫製糸１２で固定されている。へり巻１１は、背板３の周囲を取り囲むように設置される断面が「コ」の字状の部材で、表皮５などの外縁部を覆い耐久性と美観を向上する。なお表皮５とメッシュシート６との接合が劣化した場合も、縫製糸１２によりメッシュシート６が離脱することはない。そのほかメッシュシート６の端部が露出していると、ここから故意に引き剥がされる恐れがあり、へり巻１１のほか、金具１５の下にもメッシュシート６を回り込ませて、端部を覆い隠した構造になっている。
【００１７】
図２（イ）は背裏部２の内部構造を示すもので、図１のＡ−Ａ断面を描いている。背裏部２の最も内側には背板３があり、この背板３は硬質樹脂で形成され、適度な剛性を持たせておりランドセル１の形状を維持する役割を持つ。背板３の内側は、教科書などを入れる収納部１３で、一方背板３の外側には、背中に伝わる衝撃を緩和する緩衝材４が貼り合わされている。緩衝材４の外面は耐水性のある表皮５で覆われており、さらにその外面には、立体構造のメッシュシート６（立体メッシュシート）が接合されている。表皮５とメッシュシート６は、端部がへり巻１１の内部に収容されており、へり巻１１と背板３と表皮５とメッシュシート６は、縫製糸１２で一体化されている。なおメッシュシート６が弾力性を有するため、緩衝材４の厚さは従来より削減可能である。また図２（ロ）は、背裏部２の中央に凹部１７を設けた場合の断面形状を示し、表皮５とメッシュシート６は全面的に接合しているため、凹部１７においても表皮５とメッシュシート６は、緩衝材４の形状に倣って接合されている。
【００１８】
図３は、立体構造のメッシュシート６の形状例を示す斜視図で、図３（イ）は表地７と裏地９の素材が同一の場合で、図３（ロ）は表地７と裏地９の素材が異なる場合である。これら立体構造のメッシュシート６は、背中と接触する最も外側の表地７と、表皮５と接触する裏地９と、表地７と裏地９の間に介在する起立繊維８から構成される。表地７と裏地９には、亀甲模様の空隙１０が規則的に形成されており、また起立繊維８は、表地７と裏地９の間を往復するように並んでおり、これが表地７および裏地９に突き当たり折り返す際、双方の繊維が交錯している。なお図中では、起立繊維８が規則的に往復しているが、実際は多方向に複雑に配置されており、あらゆる外力に対して弾力性を発揮でき、さらに個々の繊維の負荷を減らして経年劣化を防止している。
【００１９】
図３（イ）は表地７と裏地９に同一の素材を使用しているが、本発明では表地７と裏地９に要求される機能が異なることから、図３（ロ）のような形態が望ましい。この形態は、通気性を考慮して表地７の空隙１０を大きくしており、また裏地９は通気性が不要で且つ表皮５との接合が重要であるため、空隙１０を小さくしている。なお立体メッシュシート６は、多様な形式の商品が既に販売されており、価格や耐久性などを基に最適なものを選択使用する。
【図面の簡単な説明】
【００２０】
【図１】本発明によるランドセルの概要を示す斜視図である。
【図２】背裏部の内部構造を示すもので、（イ）は図１のＡ−Ａ断面を描いており、（ロ）は（イ）と同一の構図で、背裏部の中央に凹部を設けた場合を示す。
【図３】立体構造のメッシュシートの形状例を示す斜視図で、（イ）は表地と裏地の素材が同一の場合で、（ロ）は表地と裏地の素材が異なる場合である。
【符号の説明】
【００２１】
１  ランドセル
２  背裏部
３  背板
４  緩衝材
５  表皮
６  メッシュシート
７  メッシュ地（表地）
８  起立繊維
９  メッシュ地（裏地）
１０  空隙
１１  へり巻
１２  縫製糸
１３  収納部
１４  カブセ
１５  金具
１６  背負いベルト
１７  凹部
【図１】
2005168839.tif 000003
【図２】
2005168839.tif 000004
【図３】
2005168839.tif 000005